(57)【要約】未知のレコーダブル光ディスクに高速な書込みを行うためにベータ予測を行なう方法が開示される。テスト記録は、未知のレコーダブル光ディスクの内側のテストゾーン２０及び外側のテストゾーン４０で実行され、測定されたベータの目標値として表現される結果が得られる。少なくとも１つのベータの目標値は、未知のレコーダブル光ディスクのデータゾーン３０で計算される。測定された目標値と少なくとも１つの計算されたベータの目標値とを使用してベータ対速度又はディスク半径の区分的な線形補間を構築することで、前記未知の光ディスクへの高速な書込みのため、連続的な角速度（ＣＡＶ）のスピードプロファイルの速度の関数として、又は等価的に、ＣＡＶ書込みのディスクの半径の関数としてベータ（パワー）が予測される。
2010500700.tif 000002
【特許請求の範囲】
【請求項１】
光ディスクに電子データを書き込むため、光ディスクの連続的な角速度（ＣＡＶ：Continuous  Angular  Velocity）のスピードプロファイルの線形な速度の関数又は光ディスクのＣＡＶ書込みのディスクの半径の関数としてベータを予測する方法であって、
（ａ）複数の予め決定された記録速度で前記光ディスクの外側のテストゾーンにおいて複数の信号のテスト記録を実行するステップと、前記テスト記録は、書込みレーザビームのパワーから反射される読取りレーザビームから得られる外側テストゾーンで測定されるベータの目標値の観点で表現され、
（ｂ）予め決定された記録速度で前記光ディスクのデータゾーンにおける少なくとも１つのベータの目標値を計算するステップと、
（ｃ）前記予め決定された記録速度以外の線形な速度について、前記光ディスクへの高速な書込みのため、ＣＡＶのスピードプロファイルの線形な速度の関数として、又は等価的に、ＣＡＶ書込みのディスク半径の関数としてベータ（パワー）を予測するステップとを含み、
前記予測は、少なくとも１つの計算されたベータの目標値と、少なくとも２つの異なる予め決定された記録速度でのテスト記録を含むテスト記録に依存する、
ことを特徴とする方法。
【請求項２】
前記ステップ（ｃ）は、以下の式
【数８】
2010500700.tif 000011
に従って前記データゾーン内で前記少なくとも１つのベータの目標値を計算するステップを更に含み、
前記Ｒopc_out及びＲopc_inは、前記光ディスクの外側のテストエリアと内側のテストエリアの半径をそれぞれ表し、
前記Δβは、所定の速度での内側のディスク半径と外側のディスク半径でのベータ間の差を表す、
請求項１記載の方法。
【請求項３】
Δβは、以下の式
【数９】
2010500700.tif 000012
に従って計算される、
請求項２記載の方法。
【請求項４】
前記項
【数１０】
2010500700.tif 000013
は、前記光ディスクの所定のメカニカルな特性に依存する、
請求項２記載の方法。
【請求項５】
前記項βｔout_xは、前記光ディスクの記録速度に依存する、
請求項２記載の方法。
【請求項６】
前記計算するステップ（ｂ）は、前記光ディスクへの高速な書込みのため、連続的な角速度（ＣＡＶ）のスピードプロファイルの線形な速度の関数として、又は等価的に、ＣＡＶ書込みのディスクの半径の関数としてベータ（パワー）を予測するカーブフィッティング法への入力として、前記少なくとも１つの計算されたベータの目標値と前記少なくとも２つの外側のテストゾーンで測定されたベータの目標値とを使用するステップを更に含む、
請求項１記載の方法。
【請求項７】
前記カーブフィッティング法は、区分的な線形補間である、
請求項６記載の方法。
【請求項８】
前記光ディスクは、ＣＤ−Ｒ、ＣＤ−ＲＷ、ＤＶＤ−Ｒ、ＤＶＤ−ＲＷ、ＤＶＤ−Ｒ＿ＤＬ、ＤＶＤ−ＲＷ＿ＤＬ、ＤＶＤ＋Ｒ、ＤＶＤ＋ＲＷ、ＤＶＤ＋Ｒ＿ＤＬ、ＤＶＤ＋ＲＷ＿ＤＬ、ＤＶＤ＿ＲＡＭ又はＢｌｕｅ−Ｒａｙディスクのうちの１つを含む、
請求項１記載の方法。
【請求項９】
光ディスクに電子データを書き込むため、光ディスクの連続的な角速度（ＣＡＶ：Continuous  Angular  Velocity）のスピードプロファイルの線形な速度の関数又は光ディスクのＣＡＶ書込みのディスクの半径の関数としてベータを予測する装置であって、
複数の予め決定された記録速度で前記光ディスクの外側のテストゾーンにおいて複数の信号のテスト記録を実行する手段と、前記テスト記録は、書込みレーザビームのパワーから反射される読取りレーザビームから得られる外側テストゾーンで測定されるベータの目標値の観点で表現され、
予め決定された記録速度で前記光ディスクのデータゾーンにおける少なくとも１つのベータの目標値を計算する手段と、
前記予め決定された記録速度以外の線形な速度について、前記光ディスクへの高速な書込みのため、ＣＡＶのスピードプロファイルの線形な速度の関数として、又は等価的に、ＣＡＶ書込みのディスク半径の関数としてベータ（パワー）を予測する手段とを有し、
前記予測は、少なくとも１つの計算されたベータの目標値と、少なくとも２つの異なる予め決定された記録速度でのテスト記録を含むテスト記録に依存する、
ことを特徴とする装置。
【請求項１０】
前記少なくとも１つの計算されたベータの目標値と異なる予め決定された記録速度での前記少なくとも２つのテスト記録とを使用した、前記データゾーンでのベータの目標値のレンジを予測する前記手段は、前記少なくとも１つの計算されたベータの目標値と異なる予め決定された記録速度での前記少なくとも２つのテスト記録とを使用してベータの目標値を予測するためにカーブフィッティングを実行する手段を更に有する、
請求項８記載の装置。
【請求項１１】
前記カーブフィッティングは、区分的な線形補間である、
請求項１０記載の装置。
【請求項１２】
コンピュータにロードされたときに、前記コンピュータに、
複数の予め決定された記録速度で前記光ディスクの外側のテストゾーンにおいて複数の信号のテスト記録を実行する手段と、前記テスト記録は、書込みレーザビームのパワーから反射される読取りレーザビームから得られる外側テストゾーンで測定されるベータの目標値の観点で表現され、
予め決定された記録速度で前記光ディスクのデータゾーンにおける少なくとも１つのベータの目標値を計算する手段と、
前記予め決定された記録速度以外の線形な速度について、前記光ディスクへの高速な書込みのため、連続的な角速度（ＣＡＶ：Continuous  Angular  Velocity）のスピードプロファイルの線形な速度の関数として、又は等価的に、ＣＡＶ書込みのディスク半径の関数としてベータ（パワー）を予測する手段とを有し、前記予測は、少なくとも１つの計算されたベータの目標値と、少なくとも２つの異なる予め決定された記録速度でのテスト記録を含むテスト記録に依存する、
機能を実行させることを特徴とするコンピュータプログラム。
【請求項１３】
予め決定された記録速度で前記光ディスクの内側のテストゾーンにおいて信号のテスト記録を実行するステップを含み、
前記テスト記録は、書き込みレーザビームのパワーから反射された読取りレーザビームから得られた内側のテストゾーンで測定されたベータの目標値の観点で表現され、
前記予測は、前記内側のテストゾーンで測定されたベータの目標値に依存する、
請求項１記載の方法。
【発明の詳細な説明】
【技術分野】
【０００１】
本発明は、光ストレージシステム全般に関し、より詳細には、未知のレコーダブル光ディスクでの高速な書込みのため、連続的な角速度（ＣＡＶ：Continuous  Angular  Velocity）のスピードプロファイルの速度の関数として、又は等価的に、ＣＡＶ書込みのディスク半径の関数としてベータ（パワー）を予測する方法及び装置に関する。
【背景技術】
【０００２】
光メディアへのデータストレージは、高速でメディアに波形情報を正確に書き込む機能により部分的に制限された急速に発展している技術である。光メディアに記憶されるデータ量を最大にするため、レーザ発生パルスは、位置情報と同様に正確に選択されたレーザパワーにより形成される場合がある。
【０００３】
光メディアの記録のために必要とされるレーザパワーの正しい量は可変であり、個々のレコーダ、メディア及びメディア上の特定のロケーションの両者に依存する。さらに、それらの物理的な構成のため、光メディアで使用される様々な材料のタイプは、異なるサイズのパワーウィンドウ（すなわちメディアで正しいサイズのパルスを適切に形成するレーザエネルギーのレンジ）を有し、したがって適切な記録のために異なる量のレーザパワーを必要とする。パワーウィンドウは、使用されるメディアのタイプの間で変動するだけでなく、データが記録されている速度に応じて変動する。余りに多くのパワーは過大のサイズのパルスを形成し、余りに少ないパワーは過小のサイズのパルスを形成するので、これは重要である。
【０００４】
レコーダの場合、書込みのために使用するレーザのサイズ及び光の品質は、温度及び他の環境の条件に依存して変化する、その波長と同様にユニットからユニットに変化する。大部分のレーザの放射周波数は、温度に対して感度が高く、したがって、許容される動作温度レンジの極値で実行される書込みは、著しい波長の広がりとなる。結果的に、多くのレコーダは、初期の最適な電力の較正（ＯＰＣ）の手順を実行し、それぞれのディスク及びレコーダの組み合わせについて最良の書込みレーザパワー設定を判定する。さらに、自動電力制御（ＡＰＣ）ループは、寿命及びサーマルシフトにより非常に低速の変化を克服するために利用される。
【０００５】
ＣＤ，ＤＶＤ及びＢｌｕｅ  Ｒａｙディスクの標準は、一定の線形速度（ＣＬＶ）の動作モードについて標準の線形速度（いわゆるＩＸスピード）を規定し、レーザ書込みパワーの変数がディスクに書き込まれるか、又は検査により決定されることを指摘する。しかし、ＣＡＶモードで１Ｘスピードよりも高く動作するレコーダを提供することが普及している。ＣＡＶモードで要求される速度は、ディスクの外側エッジでの標準的な速度の倍数である。したがって、１６Ｘで動作するレコーダは、ディスクの内側エッジでの６．３Ｘ及びディスクの外側エッジでの１６Ｘのリニア速度で実際に動作する。
【０００６】
記録速度の倍率に従って最適となるために書込みレーザパワーを制御する方法として、最適な電力制御を実現するＯＰＣ方法が提案され、正規の記録の前に、光ディスクにおける予め決定されたエリアに複数の書込みレーザパワー値によりテスト記録を行なうステップ、テスト記録のエリアの再生結果から書き込みレーザパワー値を取得するステップを含む。
【０００７】
従来のＯＰＣでは、書込みレーザパワー値βは、書込みレーザパワー値間の関係を示す値の特徴であり、β値は、テスト記録のエリアからの再生信号から得られ、最適な書込みレーザパワー値として、βの目標値とも呼ばれることがある、予め決定された最適値βに対応する書込みレーザパワー値が採用される。さらに、β値は、再生された信号レベル又は振幅に関連するパラメータであり、（ａ＋ｂ）／（ａ−ｂ）により得られる。このキャラクタにおいて、ａは、光ピックアップの戻りの光受信信号として８−１４変調（ＥＦＭ）信号波形のピークレベル（＋の符号による）を示し、ｂは、戻りの信号のボトムレベルを示す（−の符号による）。
【０００８】
従来のＯＰＣにおける係る「ベータの目標」測定を行う公知の手順は、（１）最適なレーザ書込みパワーＰｗ＿ｏｐｔを導出するためにＯＰＣを実行するステップ、（２）導出された最適なレーザ書込みパワーＰｗ＿ｏｐｔを使用したシングルトラック（すなわちディスクの１回転）を書き込むステップ、（３）ディスクの１回転で（読取りレーザパワーＰｒで）書き込まれたトラックのＮ個の振幅Ａｌ0，．．．，Ａ１N-1及びＡ２0，．．．，Ａ２N-1を測定し、ｉ：０→Ｎ−１について異なるベータ値
【０００９】
【数１】
2010500700.tif 000003
を計算するステップ、及び（４）平均のベータの目標の推定値
【００１０】
【数２】
2010500700.tif 000004
を計算するステップを含む。
【００１１】
さらに、従来のＯＰＣでは、予め決定された最適値βに対応する書込みレーザパワー値が決定される。すなわち、書込みレーザパワー値は、β値のみを考慮して決定される。しかし、光ディスクの特性がタイプ毎に異なるとき、記録状態の品質レベルは、β値のみを考慮することで単に決定された書込みレーザパワー値による記録の間に品質が低下される。たとえば、書込みレーザパワー値とβ値との間の関係は、通常は実質的にリニアであるが、光ディスクの歪み、染料の非一様性等のため、図１に示される非線形の関係となることがある。図１に示されるように、光ディスクでは、β値と書込みレーザパワー値との間の関係は、実質的に非線形の特性を有する。特に、速度の関数としてβの関数は非線形である。したがって、未知のディスク（すなわちＯＰＣ手順を開始すべき示唆するパワーレベルに関する情報を含まないディスク）について、書込みエラーは、線形補間のために誤ったβ目標値に基づいて行なわれる。
【００１２】
書込みレーザパワーとβ値との間のディスクの非線形の関係を補正する現在使用されるＯＰＣ方法は、ディスクに前もって記憶される、使用されている情報に基づく（たとえば、ＤＶＤ＋Ｒ,  Ｂａｓｉｃ  Ｆｏｒｍａｔ  Ｓｐｅｃｉｆｉｃａｔｉｏｎ，  Ｓｙｓｔｅｍｓ  Ｄｅｓｃｒｐｔｉｏｎ，  Ｒｅｃｏｒｄａｂｌｅ  Ｃｏｍｐａｃｔ  Ｄｉｓｃ  Ｓｙｓｔｅｍｓ，  ＰａｒｔＩＩ：ＣＤ−Ｒ，Ｓｙｓｔｅｍ  Ｄｅｓｃｒｉｐｔｉｏｎを参照されたい）。情報は、ディスクに前もって記憶され、たとえばＯＰＣ手順を開始すべき示唆するパワーレベルがレコーダに提供される。この情報は、しかし、多数の高速なレコーダブルなディスクについて常に利用可能ではない場合がある。特に、情報は、メディアテーブルに記述されていないディスクについて利用可能でない。
【発明の概要】
【発明が解決しようとする課題】
【００１３】
したがって、ＯＰＣ手順を開始すべき指標となるパワーレベルに関する情報を光ディスク装置が含まない場合に、光ディスク装置に電子データを書込むためのパワーレギュレーションを実行する手順について、従来技術において必要とされている。
【００１４】
本発明は、ディスクの内側及び外側のテストゾーンで実施され、従来のＯＰＣ手順に関連される問題を克服する、連続的な角速度（ＣＡＶ）の速度プロファイルについて速度の関数として、又は等価的に、光ディスク装置のＣＡＶ書込みのディスク半径の関数として、ベータ（パワー）を予測することに関する。
【課題を解決するための手段】
【００１５】
本発明の第一の態様によれば、光ディスクに電子データを書込むため、ＣＡＶプロファイルの線形な速度の関数として、又はＣＡＶ書込みのディスク半径の関数として、ベータを予測する方法が提供され、当該方法は、以下のステップを含む。（ａ）複数の予め決定された記録速度で光ディスクの外側のテストゾーンに複数の信号のテスト記録を行なうステップ。テスト記録は、書込みレーザビームのパワーから反射された読取りレーザビームから得られる外側テストゾーンの測定されたベータの目標値の観点で表現される。（ｂ）予め決定された記録速度で光ディスクのデータゾーンにおける少なくとも１つのベータの目標値を計算するステップ。（ｃ）予め決定された記録速度よりも他の線形な速度について、光ディスクへの高速の書込みのため、連続的な角速度（ＣＡＶ）のスピードプロファイルの線形な速度の関数として、又は等価的に、ＣＡＶ書込みのためのディスク半径の関数としてベータ（パワー）を予測するステップ。予測するステップは、少なくとも１つの計算されたベータターゲット値と、少なくとも２つの異なる予め決定された記録速度でのテスト記録を含むテスト記録に依存する。
【図面の簡単な説明】
【００１６】
本発明は、添付図面に関連して更に詳細に記載される。
【図１】従来技術に係る、典型的な光ディスクの書込みレーザパワー値とβ値との間の関係を表すグラフである。
【図２】典型的な光ディスクの側面図を表す図である。
【図３】本発明の方法のフローチャートである。
【図４】本発明の例示的な実施の形態についてベータ（パワー）対記録速度の関係を示すグラフである。
【発明を実施するための最良の形態】
【００１７】
図２は、標準的なディスクの簡略化された側面図である。内側のディスクのテストゾーン２０及び外側のディスクのテストゾーン４０は、それぞれ、ディスクの最も内側のゾーン及び最も外側のゾーンを表す。これらのテストゾーンのみが、ディスクのテスト及びＯＰＣアルゴリズムを実行するドライブにより使用される。データゾーン３０は、リバーシブルでない作用を使用して情報が記録されるレコーダブルエリアを構成する。
【００１８】
たとえば１６ＸのＣＡＶモードにおいて書き込む本発明の例示的な実施の形態によれば、予め決定された記録速度（たとえば本実施の形態では６．３ｘ）で光ディスクの内側のディスクのテストゾーン２０において、ある信号の１つのテスト記録が実行され、予め決定された記録速度（たとえば本実施の形態では６．３Ｘ，８Ｘ，１２Ｘ及び１６Ｘ）で光ディスクの外側のディスクのテストゾーン４０において、ある信号の４つの更なるテスト記録が実行される。
【００１９】
内側のテストゾーンで実行される１つのテスト記録及び外側のテストゾーンで実行される４つのテスト記録からなる５つのテスト記録は、書込みレーザビームのパワーから反射された読取りレーザビームから得られる、図２に示されるように、ベータの目標値５０（すなわちパワー）の観点で表されることが好ましい。係るテスト記録の測定は、公知であり、光ディスクのテストゾーンにおいて定期的に実行される。
【００２０】
５つのテスト記録を実行し、５つの測定されたベータの目標値を取得した後、内側の記録速度で、少なくとも１つのベータ目標値が計算される。本実施の形態では、８Ｘ及び１２Ｘの記録速度で２つのベータ目標値が計算される。一般に、ベータ目標値は、以下の式に従って計算される。
【００２１】
【数３】
2010500700.tif 000005
記録速度ｘsでのベータ目標値βｔxを計算するための第一の項は、上述された記録速度ｘでのディスクの外側のテストゾーンでテスト記録を実行することで得られる測定されたベータ目標値βｔout_xであることが、式（１）から観察される。測定されたベータの目標値βｔout_xは、以下のように記載される、式（１）の速度に依存するコンポーネントと考えられる。
【００２２】
式（１）は、速度に依存するコンポーネントβｔout_x及びディスクに依存するコンポーネントといった２つのコンポーネントから構成されると考えられる。速度に依存したコンポーネントβｔout_xは、特定の記録速度ｘで外側のディスクのテストゾーン４０で測定されるベータの目標値である。ディスクに依存するコンポーネントは、式（１）の第二項により表される。
【００２３】
【数４】
2010500700.tif 000006
ここでＲopc_out及びＲopc_inは、光ディスクの外側のテスト領域及び内側のテスト領域をそれぞれ表す。ＤＶＤ＋Ｒシングルレイヤタイプのディスクについて、典型的なＲopc_out及びＲopc_inの値は、Ｒopc_inについて２２．６ｍｍであり、Ｒopc_outについて５８．１ｍｍであり、Ｒxは、特定の瞬間に記録を行なっているディスクの半径を表す。
【００２４】
Δβは、以下のように計算される、所定の速度（たとえば６．３Ｘ）での内側のディスク半径及び外側のディスク半径でのベータ（パワー）間の差を表す。
【００２５】
【数５】
2010500700.tif 000007
以下に記載されるように、１実施の形態では、少なくとも１つの計算されたベータの目標値は、少なくとも２つの測定されたベータの目標値と結合され、未知のレコーダブル光ディスクに高速書込みを行うため、連続角速度（ＣＡＶ）速度プロファイルの速度の関数として、又は等価的に、ＣＡＶ書込みのディスクの半径の関数として、ベータの目標値のレンジを予測するため、区分的なリニアなグラフが構築される。なお、所定の実施の形態では、区分的なリニアなグラフは、全ての計算されたベータの目標値を使用して構築される。しかし、これは、テストゾーンで測定された所定のベータの目標値が以下に記載されるように、それらの計算された値に等価である点で不要である。したがって、それら測定された値に等価でないベータの目標値を計算することが必要とされる。
【００２６】
例示的な実施の形態では、５つのベータの目標値が測定され、１つの値βｔin_6.3xは、光ディスクの内側のテストゾーンにおいてであり、４つの値βｔout_6.3x，βｔout_8x，βｔout_12x，βｔout_16xは、光ディスクの外側のテストゾーンにおいてである（図２参照）。５つの測定された値に加えて、２つのベータの目標値βｔ8x及びβ12xが計算される。
【００２７】
本実施の形態では、５つの測定されたベータの目標値のうちの２つ値βｔin_6.3x及びβｔout_16xは、それら測定された値に等しい計算又は予測された値を有することが理解される。係るように、これら２つの測定された値は、計算を実行する代わりに使用される場合がある。
【００２８】
この測定及び計算されたベータの目標値の等価な点は、式（４）に関して例示により示される。式（４）は、６．３Ｘの境界の記録速度について、式（１）に従ってベータの目標値を計算した結果である。図示されるように、計算された結果（ＬＨＳ）は、内側のテストゾーンの測定された結果（ＲＨＳ）に等しい。
【００２９】
【数６】
2010500700.tif 000008
この等価なことは、区分的なリニアなグラフを構築するため、必要とされる計算の数を低減するため、本発明の方法により利用される。
【００３０】
図３及び図２のエレメントを参照して、光ディスクの速度（又はディスク半径）の関数として、ベータ（パワー）を予測する方法のフローチャートが与えられる。
【００３１】
本発明の好適な実施の形態によれば、未知のレコーダブル光ディスクに高速な書き込みを行うため、連続角速度（ＣＡＶ）のスピードプロファイルの速度の関数として、又は等価的に、ＣＡＶ書込みのためのディスクの半径の関数として、ベータ（パワー）を予測する方法は、以下のステップを含む。
【００３２】
ステップ３０２で、βin_6.3xの第一の測定されたベータの目標値を取得するため、予め決定された記録速度（たとえば本実施の形態では６．３Ｘ）で、ディスク（図２参照）の内側のテストゾーン２０において、単一のテスト記録が行なわれる。例示的な実施の形態では、単一のテスト記録は、βｔin_6.3xの単一の測定されたベータの目標値を取得するため、ディスクの内側のテストゾーン２０において、６．３Ｘの記録速度で実行される。
【００３３】
ステップ３０４で、少なくとも２つの対応する測定されたベータの目標値を得るため、予め決定された記録速度で、ディスク（図２参照）の外側のテストゾーン４０において、少なくとも２つの更なるテスト記録が実行される。例示的な実施の形態では、４つの測定されたベータの目標値βｔout_6.3x，βｔout_8x，βｔout_12x及びβｔout_16xを取得するため、ディスク（図２参照）の外側のテストゾーン４０において、６．３Ｘ，８Ｘ，１２Ｘ及び１６Ｘの記録速度で、４つの更なるテスト記録が実行される。例示的な実施の形態では、測定された値βｔout_6.3x及びβｔout_16xは、式（１）により計算されるように、それらの計算された値又は予測値に等しい。これらの値は、下側及び上側の境界値と呼ばれる。
【００３４】
ステップ３０６では、それらの計算された値又は予測値に等しくない測定されたベータの目標値について、予測又は計算されたベータの目標値の計算が実行される。例示的な実施の形態では、２つのベータの目標値は、境界でない（内側の）記録速度、すなわち８Ｘ及び１２Ｘであるとして考慮される。
【００３５】
【数７】
2010500700.tif 000009
ステップ３０８で、光ディスクの制御ユニットが内側の記録速度８Ｘ及び１２Ｘのそれぞれでベータの目標値βｔ8x及びβｔ16xを計算した後、計算されたベータの目標値は、測定された境界のベータの目標値と共に使用され、未知のレコーダブル光ディスクへの高速な書込みのため、連続的な角速度（ＣＡＶ）スピードプロファイルのスピードの関数として、又は等価的に、ＣＡＶ書き込みのためのディスクの半径の関数として、ベータ（パワー）を予測する区分的なリニアなグラフが構築される。勿論、データポイントが構築するために使用される場合がある。
【００３６】
図４は、ベータ［％］として表現されるパワー対記録速度Ｒ［ｍ］のグラフである。比較により、グラフは、２つの曲線から構成される。第一の曲線は、“Ａ１”でラベル付けされ、予測ベータの目標のデータ値対記録速度Ｒ［ｍ］の従来技術の線形補間を説明する。第二の曲線は、本発明の原理に従って生成され、Ｂ１，Ｂ２及びＢ３でラベル付けされ、本発明の曲線“Ｂ”と呼ばれる３つのセグメントから構成される、予測ベータの目標値対記録速度Ｒ［ｍ］の区分的な線形補間である。
【００３７】
従来技術の曲線“Ａ１”を参照して、線形補間は、２つの測定されたベータの目標のエンドポイントの値に基づいており、これらは、（図１に示されるような）光ディスクのテストゾーン部分２０において測定可能である。２つのベータの目標のエンドポイント値は、βｔ6.3x及びβｔ16xである。従来技術の曲線“Ａ１”は、レンジ６．３Ｘ−１６Ｘを通して記録速度Ｒ［ｍ］に対して線形に分散されるように、光ディスクのデータゾーン３０におけるベータの目標値を予測する。
【００３８】
発明者は、光ディスクのデータゾーン４０における真又は実際のベータの目標値は、８Ｘ及び１２Ｘのそれぞれの記録速度で測定される、２つの実験的に測定されたポイントＭ１及びＭ２により示されるように、非線形の分布を有することを実験的に判定している。なお、従来技術の予測曲線は、真又は実際のベータの目標値に対する近似である。たとえば、Ｒ８Ｘでの真又は実際のベータの目標値である実験的に測定されたデータポイントＭ１について、その測定された値はグラフで見られるように約−４．２である。従来技術のアプローチを使用して、予測される値は、−３．２の著しいデルタとなる。従来技術の予測される値とは著しく対照的に、本発明に従って予測された値ＢＴ１は、約−４．１であり、−０．１のデルタとなる。したがって、本発明は、図４における例を通して照明されるように、従来技術に対する予測の精度において著しい改善を提供する。
【００３９】
図４に示されるように、本発明の曲線“Ｂ”は、単一のセグメント“Ａ１”のみを利用する、従来技術の曲線“Ａ”よりも実際のベータの目標値について有意な予測となる。
【００４０】
表Ｉは、図４の本発明のグラフ“Ｂ”が様々な区分的なリニアなセグメントを構築するため、測定されたベータの目標値と計算されたベータの目標値との両者を含む行のデータポイントのセットから構築されることを更に示すために提供される。
【００４１】
【表１】
2010500700.tif 000010
表Ｉに示されるように、本発明のグラフＢの第一の区分的なリニアセグメントＢ１（行１）は、光ディスクのテスト領域において測定可能な値である、開始のセグメントのエンドポイントの値βｔ6.3x＝βｔin_6.3xから構築される。終了のセグメントのエンドポイントは、一般の式（１）の特定のアプリケーションである、先の式（４）に従って計算された、計算値である。
【００４２】
本発明のグラフＢ（行２）の第二のセグメントＢ２は、２つの計算された値を使用するものであり、１つは開始のセグメントのエンドポイントβｔ8x向けであり、１つの終了のセグメントのエンドポイントβｔ12x向けである。
【００４３】
本発明のグラフＢ（行３）の第三のセグメントＢ３は、それぞれの開始及び終了のセグメントのエンドポイントについて計算された値と測定された値の組み合わせを使用する。特に、開始のセグメントのエンドポイントは、計算された値βｔ12xであり、終了のセグメントのエンドポイントは、測定されたセグメントのエンドポイントβｔ16xである。
【００４４】
記載される例示的な実施の形態では、それぞれの内側の記録速度８Ｘ及び１２Ｘで、２つのβの目標値が計算され、図４に例示されるように、予測的なベータの目標値の３つのセグメントの区分的な線形補間が得られた。しかし、予測を行なうために内側の記録速度で計算されるベータの目標値の数に関して本発明において制限されないことが理解されるべきである。勿論、計算されるベータの目標値の数と予測精度との間に直接的な対応関係があることが理解される。さらに、本発明が記載されたが、例示的な実施の形態では、行のデータポイント（すなわち、測定されたベータ値と計算されたベータ値）で区分的な線形補間を実行することに関して、行データポイントを直接に通過するか、通過しないに関わらず、行データポイントから予測値を導出するために公知のカーブフィッティング方法を使用して予測値が計算される場合があることを理解されたい。
【００４５】
本発明は、最適なレーザパワーが媒体に情報を書き込むために望まれる任意の光記録媒体に適用可能であることが理解される。たとえば、本発明は、限定されるものではないが、ＣＤ−Ｒ（Ｗ）、ＤＶＤ＋Ｒ（Ｗ）、ＤＶＤ−Ｒ＿ＤＬ、ＤＶＤ−ＲＷ＿ＤＬ及びＢｌｕ−ｒａｙ  Ｄｉｓｃ等に適用可能である。当業者であれば、１６Ｘ  ＣＡＶ記録よりも高速又は低速について、或いはＰ−ＣＡＶ又はＺ−ＣＬＶ記録について先の実施の形態をどのように変更するかを知るであろう。
【００４６】
本発明は特定の実施の形態を参照して記載されたが、特許請求の範囲で述べた本発明の精神及び範囲から逸脱することなしに多くの変形が行なわれることを理解されたい。本発明の範囲は、特許請求の範囲に示され、等価の意味及び範囲に含まれる全ての変形は本発明において受け入れられる。明細書及び図面は、例示的なやり方で考えられ、特許請求の範囲を限定することが意図されない。
【００４７】
特許請求の範囲の解釈において、以下が理解されるべきである。ａ）単語「有する“comprising”」は、所与の請求項で列挙された以外のエレメント又はステップの存在を排除しない。ｂ）エレメントに先行する単語“ａ”又は“ａｎ”は、複数の係るエレメントの存在を排除しない。ｃ）請求項における参照符号は、それらの範囲を限定しない。ｄ）幾つかの「手段」は、同じアイテムのハードウェア又はソフトウェアで実現される構造又は機能により表現される。ｅ）開示されるエレメントの何れかは、（たとえばディスクリート及び集積電子回路を含む）ハードウェア部分、（たとえばコンピュータプログラム）ソフトウェア部分、及びその組み合わせから構成される。ｆ）ハードウェア部分は、アナログ及びデジタル部分の両者のうちの１つから構成される。ｇ）開示される装置又はその部分の何れかは、特に言及されない限り、互いに結合されるか、更なる部分に分離される。ｈ）特定のステップのシーケンスは、特に示されない限り要求されない。
【図１】
2010500700.tif 000014
【図２】
2010500700.tif 000015
【図３】
2010500700.tif 000016
【図４】
2010500700.tif 000017
【国際調査報告】
2010500700.tif 000018
2010500700.tif 000019